(57)【要約】【課題】防草・防塵シートの設置方法において、設置する敷地内の地中に電線等が埋設されている場合でも、防草・防塵シートを安全で確実に設置する。【解決手段】防草・防塵シートの設置方法は、ブロック２ａ，２ｂ，２ｃを防草・防塵シートを設置する敷地の地中に、ブロック２ａ，２ｂ，２ｃの上面と地面の高さが一致するように、ブロック２ａ，２ｂ，２ｃを複数個埋設する。さらに、防草・防塵シートを敷地に敷き、防草・防塵シートの上からブロック２ａ，２ｂ，２ｃの中央に穴を開ける。穴が開けられた敷石ブロック２ａ，２ｂ，２ｃに、防草・防塵シートの上からアンカーボルトを挿入して、アンカーボルトで防草・防塵シートと敷石ブロック２ａ，２ｂ，２ｃとを固定して、防草・防塵シートを敷地に設置する。【選択図】図１
2014042464.tif 000002
【特許請求の範囲】
【請求項１】
防草又は防塵若しくは防草と防塵とを兼用するシートを敷地内に設置するシート設置方法であって、
前記シートを設置する敷地内に複数のブロックを配置する配置工程と、
前記ブロックを前記ブロックの上面が敷地内の地面の高さと一致するように埋設する埋設工程と、
前記シートを敷地に敷く工程と、
前記シートと前記ブロックに穴を開ける穴開け工程と、
前記シートの上から穴が開けられた前記ブロックにボルトを挿入して前記シートと前記ブロックとを固定する固定工程とを備えることを特徴とする鉄杭を使用しないシート設置方法。
【請求項２】
前記配置工程において、前記シートの縁部付近に配置されるブロックの数は、前記シートの中央部分に配置されるブロックの数よりも多く配置されることを特徴とする請求項１記載の鉄杭を使用しないシート設置方法。
【請求項３】
前記シートの縁部は、縁部押さえ金具を前記シートの上に設置して、前記縁部押さえ金具と前記シートと前記ブロックを前記ボルトにて固定する縁部固定工程をさらに含む請求項１又は２に記載の鉄杭を使用しないシート設置方法。
【請求項４】
前記シートを設置する敷地内に構造物がある場合は、前記構造物の周辺にコンクリートを設置し、前記コンクリートに穴を開けて、前記シートの上から穴が開けられた前記コンクリートに前記ボルトを挿入して、前記シートと前記コンクリートとを固定するコンクリート固定工程をさらに含む請求項１乃至３に記載の鉄杭を使用しないシート設置方法。
【請求項５】
前記シートを設置する敷地内の端部に既存のコンクリートが存在する場合は、前記既存のコンクリートに穴を開けて、前記縁部押さえ金具を前記シートの上に設置して、前記縁部押さえ金具と前記シートと前記既存のコンクリートを前記ボルトにて固定する既存コンクリート縁部固定工程をさらに含む請求項１又は４に記載の鉄杭を使用しないシート設置方法。
【発明の詳細な説明】
【技術分野】
【０００１】
本発明は、鉄杭を使用しない防草・防塵シートの設置方法に関する。
【背景技術】
【０００２】
未整地の敷地やコンクリートが劣化損傷した敷地では、雑草が繁茂したり、粉塵が舞うため、このような敷地を高価なコンクリートやアスファルトで覆わずに、安価で設置が容易な防草・防塵シートで敷地を覆うことがなされる。
【０００３】
この防草・防塵シートの設置は、防草・防塵シートを地面の上に敷き、防草・防塵シートの上から、長さが４５ｃｍ位の複数の鉄杭を地面に打ち込んで、固定するという方法がなされる（例えば、特許文献１参照）。また、それ以外の方法として、防草・防塵シートを敷地内の地面の上に敷き、鉄杭の代わりに、防草・防塵シートの上から砕石を敷き詰めて、防草・防塵シートを設置する方法がある。
【先行技術文献】
【特許文献】
【０００４】
【特許文献１】特開２０１１−１９６１５９号公報
【発明の概要】
【発明が解決しようとする課題】
【０００５】
ところで、防草・防塵シートを設置する場所が変電所や無線鉄塔等の施設の敷地である場合、その敷地の地面の下に、電線等が埋設されていることが多い。また、電線等が地面の下に、何メートルの深さで、どのような範囲に埋設されているかが、明らかでない場合がある。このようなときに、防草・防塵シートを設置するにあたって、鉄杭を地面に打ち込むと、鉄杭が電線等を貫通して、施設に重大な被害をもたらす恐れがある。一方、埋設されている設備に影響を与えないように、鉄杭の長さを短くしてしまうと、風や雨などによって鉄杭が地面から外れて、防草・防塵シートが捲れてしまうことがある。
【０００６】
また、変電所等では、何らかの原因で設備から油が漏れだす場合があるため、上述のように、防草・防塵シートの上に砕石を敷き詰めて漏れた油を砕石で吸収する方法が採用されている。しかし、この方法では、砕石の上に人が乗ると、防草・防塵シートが破損したり、また、敷き詰めた砕石に雑草が生えて、防草・防塵シートがその役割を果たさないようになってしまうことがある。このような場合に、砕石下部の防草・防塵シートを張り替える為に砕石を取り除いたり移設することは、きわめて困難である。
【０００７】
本発明は、上記課題を解決するものであって、防草・防塵シートを設置する敷地の地面の下に、電線等が埋設されていても、それらを傷つけることなく、防草・防塵シートを設置する方法を提供することを目的とする。
【課題を解決するための手段】
【０００８】
上記課題を解決するため、本発明の鉄杭を使用しないシート設置方法は、防草又は防塵若しくは防草と防塵とを兼用するシートを敷地内に設置するシート設置方法であって、前記シートを設置する敷地内に複数のブロックを配置する配置工程と、前記ブロックを前記ブロックの上面が敷地内の地面の高さと一致するように埋設する埋設工程と、前記シートを敷地に敷く工程と、前記シートと前記ブロックに穴を開ける穴開け工程と、前記シートの上から穴が開けられた前記ブロックにボルトを挿入して前記シートと前記ブロックとを固定する固定工程とを備える。
【０００９】
また、前記配置工程において、前記シートの縁部付近に配置されるブロックの数は、前記シートの中央部分に配置されるブロックの数よりも多く配置されることが望ましい。
【００１０】
また、前記シートの縁部は、縁部押さえ金具を前記シートの上に設置して、前記縁部押さえ金具と前記シートと前記ブロックを前記ボルトにて固定する縁部固定工程をさらに含むことが望ましい。
【００１１】
また、前記シートを設置する敷地内に構造物がある場合は、前記構造物の周辺にコンクリートを設置し、前記コンクリートに直接穴を開けて、前記シートの上から穴が開けられた前記コンクリートに前記ボルトを挿入して、前記シートと前記コンクリートとを固定するコンクリート固定工程をさらに含むことが望ましい。
【００１２】
また、前記シートを設置する敷地内の端部に既存のコンクリートが存在する場合は、前記既存のコンクリートに穴を開けて、前記縁部押さえ金具を前記シートの上に設置して、前記縁部押さえ金具と前記シートと前記既存のコンクリートを前記ボルトにて固定する既存コンクリート縁部固定工程をさらに含むことが望ましい。
【発明の効果】
【００１３】
本発明の鉄杭を使用しないシート設置方法によれば、敷地に埋設したブロックに、ボルトによりシートを固定するので、シートを敷地にしっかりと設置することができる。しかも、従来のように長い鉄杭を用いる必要がないので、敷地内に電線等が埋設されていても、それらを損傷することが防止される。
【図面の簡単な説明】
【００１４】
【図１】（ａ）は本発明の第１の実施形態に係る肩石ブロックの敷地への配置を上から見た図、（ｂ）は同肩石ブロックが敷地地盤の上に置かれた状態と、敷地地盤に埋設された状態を示す側断面図。
【図２】（ａ）は同敷地へ防草・防塵シートが敷かれ、アンカーボルト挿入穴が開けられた状態の上面図、（ｂ）は防草・防塵シートの敷き方を示す斜視図。
【図３】同防草・防塵シートの重なり部分を示す上面図。
【図４】同防草・防塵シートの重なり部分の側断面図。
【図５】図２のＡ−Ａ線に沿った断面図であって同防草・防塵シートの上から同肩石ブロックにアンカーボルト挿入穴が開けられた状態を示す図。
【図６】（ａ）は同アンカーボルト挿入穴にアンカーボルトが挿入された状態を示す断面図、（ｂ）は同アンカーボルトが挿入されてアンカーピンが打ち込まれた状態を示す断面図。
【図７】同アンカーボルト挿入穴にアンカーボルトを挿入しようとしている状態を示す拡大側面図。
【図８】同防草・防塵シートが敷地に設置された状態の上面図。
【図９】本発明の第１の実施形態に係る防草・防塵シートの設置手順を示したフローチャート図。
【図１０】（ａ）は敷地に設置されている鉄塔の構造物の一部を示す上面図、（ｂ）は図１０（ａ）のＢ−Ｂ線に沿った断面図。
【図１１】（ａ）は本発明の第２の実施形態に係る同構造物の周りに土間コンクリートを流し込んだ状態を上から見た図、（ｂ）は図１１（ａ）のＣ−Ｃ線に沿った断面図。
【図１２】同防草・防塵シートの重ね合わせ方法を示した図。
【図１３】（ａ）は同敷地に設置されている鉄塔の構造物の一部に同防草・防塵シートを設置した状態を上から見た図、（ｂ）は図１３（ａ）のＤ−Ｄ線に沿った断面図。
【図１４】同防草・防塵シートを鉄塔の構造物がある敷地に設置した状態の一例を示す上面図。
【図１５】本発明の第３の実施形態に係る既存の土間コンクリートと肩石ブロックの敷地への配置を上から見た図。
【発明を実施するための形態】
【００１５】
(第１の実施形態）
本発明の第１の実施形態に係る鉄杭を使用しない防草・防塵シートの設置方法について、図１乃至図９を参照して説明する。この第１の実施形態では、肩石ブロック（ブロック）２ａ，２ｂ，２ｃが、防草・防塵シート（防草や防塵もしくは防草と防塵とを兼用するシート）４，５が設置される敷地１に複数個配置され、さらに、敷地地盤３に埋設される。次に、防草・防塵シート４，５が、この埋設された肩石ブロック２ａ，２ｂ，２ｃの上から敷かれ、アンカーボルト挿入穴６が、防草・防塵シート４，５の上から肩石ブロック２ａ，２ｂ，２ｃに開けられ、アンカーボルト（ボルト）８がアンカーボルト挿入穴６に挿入される。これにより、防草・防塵シート４，５が肩石ブロック２ａ，２ｂ，２ｃに固定されて、防草・防塵シート４，５が敷地１に設置される。以下、この設置方法について順に説明する。
【００１６】
まず、防草・防塵シート４，５の施工者は、設置する敷地１の雑草、切り株や転石等を取り除き、敷地１の地面に凹凸がある場合は、埋め立て等して整地を行う。この整地は、防草・防塵シート４，５を所望の敷地１に設置した後に、人が敷地１に入ったときに、つまずいたりして、怪我をすることを防止するためである。また、車両等が、防草・防塵シート４，５を設置した敷地１に乗り入れられた際に、車両のタイヤが、防草・防塵シート４，５の下にある突起物に乗り上がり、防草・防塵シート４，５の一部に穴が開くのを防止するためでもある。
【００１７】
次に、肩石ブロック２ａ，２ｂ，２ｃが敷地１に配置され、埋設されることについて説明する。ここで、肩石ブロック２ａ，２ｂ，２ｃは、例えば、高さ５ｃｍ×幅１５ｃｍ×長さ５０ｃｍのコンクリート製のものを使用する。また、防草・防塵シート４，５は、幅の異なる２種類（厚み：４ｍｍ、幅（Ｗ１）＝２ｍ、幅（Ｗ２）＝１．５ｍ）を使用する。なお、１．５ｍ幅の防草・防塵シート５については、２ｍ幅の防草・防塵シート４を裁断して、１．５ｍ幅の防草・防塵シート５を作成して使用してもよい。
【００１８】
図１（ａ）は、防草・防塵シート４，５を設置する敷地１に、複数の肩石ブロック２ａ，２ｂ，２ｃが配置（配置工程）されていることが示されている。Ｇで示される点線幅の部分は、２種類の防草・防塵シート４，５が重ねられる部分を示している。防草・防塵シート４，５の縁部に配置された肩石ブロック２ａは、防草・防塵シート４，５の中央部に配置される肩石ブロック２ｂより、密に配置されている。これは、防草・防塵シート４，５の縁部は、風等により、捲れ易いため、しっかりと固定する必要があるからである。また、防草・防塵シート４，５の重なり部分Ｇは、縁部と同様に風等により捲れ易いため、肩石ブロック２ｃを密に配置する。ここでは、防草・防塵シート４，５の縁部には、肩石ブロック２ａが１．５ｍ間隔で配置され、防草・防塵シート４，５の中央部には、肩石ブロック２ｂが２．２５ｍ間隔で配置される。また、防草・防塵シート４，５が重ねられる部分には、肩石ブロック２ｃが１．５ｍ間隔よりも狭い間隔で配置される。
【００１９】
図１（ｂ）（１）は、肩石ブロック２ａ，２ｂ，２ｃが、敷地地盤３の上に配置された状態を示している。図１（ａ）のように、肩石ブロック２ａ，２ｂ，２ｃの配置が決まると、図１（ｂ）（２）に示されるように、これらの肩石ブロック２ａ，２ｂ，２ｃが、その上面が敷地１の地面の高さと一致するように敷地地盤３に埋設（埋設工程）される。なお、図１（ｂ）は、配置された肩石ブロック２ａ，２ｂ，２ｃが地面に埋設されることを示したものであり、肩石ブロック２ａ，２ｂ，２ｃの埋設方向は、図１（ａ）に示される通りである。
【００２０】
この肩石ブロック２ａ，２ｂ，２ｃの埋設が終了すれば、次に、防草・防塵シート４，５を接着するための接着剤が、肩石ブロック２ａ，２ｂ，２ｃの上面に塗布される。なお、肩石ブロック２ａ，２ｂ，２ｃを埋設する理由は、敷地１に入った者が怪我をしないように防草・防塵シート４，５が設置された地面を平らにする必要があることと、肩石ブロック２ａ，２ｂ，２ｃがその重みだけではなく、地面に埋設されることにより、肩石ブロック２ａ，２ｂ，２ｃが設置位置から移動しないようにするためでもある。
【００２１】
次に、防草・防塵シート４，５が、肩石ブロック２ａ，２ｂ，２ｃの埋設された敷地１に敷かれ（敷く工程）、防草・防塵シート４，５の上からアンカーボルト挿入穴６が、肩石ブロック２ａ，２ｂ，２ｃに開けられることについて説明する。図２（ａ）は、幅Ｗ１の防草・防塵シート４と幅Ｗ２の防草・防塵シート５が、重ね合わされて敷地１に敷かれ、肩石ブロック２ａ，２ｂ，２が埋設されている位置に、アンカーボルト挿入穴６が、防草・防塵シート４，５の上から開けられていることが示されている。
【００２２】
防草・防塵シート４，５を敷く際の防草・防塵シート４と防草・防塵シート５の重ね合わせについて、図２（ｂ）を用いて説明する。図２（ｂ）に示すように、最初に、防草・防塵シート４が、敷地１の端（図２（ａ）では左上）から他の一方の端（図２（ａ）では左下）まで真直ぐに敷かれる。次に、防草・防塵シート５が、防草・防塵シート４に、１５ｃｍ以上重なるように敷かれる。ここでＧは、防草・防塵シート４と防草・防塵シート５の重なり部分を示している。なお、防草・防塵シート４，５は、材質として、例えば、ペットボトルをリサイクルして繊維状にし、この繊維を使用したものが使用される。
【００２３】
次に、図２（ａ）に示すように、例えば、布のガムテープのような養生テープ７が、防草・防塵シート４と防草・防塵シート５の重なり部分に沿って、重なり部分Ｇから１ｃｍ程離して防草・防塵シート４に貼り付けられる。
【００２４】
図３は、図２（ａ）で示される防草・防塵シート４と防草・防塵シート５と、その重なり部分Ｇと養生テープ７の部分が示された箇所を拡大したものである。図３のＨが、重なり部分Ｇと養生テープ７との隙間を示している。
【００２５】
図４は、図３の側断面図である。この養生テープ７は、重なり部分Ｇを接着剤で接着するため、接着剤がはみ出て、防草・防塵シート４の見栄えが悪くなるのを防止するためである。養生テープ７を貼り終えた後に、接着剤が、防草・防塵シート４と防草・防塵シート５の重なり部分Ｇの間に塗布される。これは、幅２ｍの防草・防塵シート４と幅１．５ｍの防草・防塵シート５の重なり部分の隙間を埋めるためである。なお、養生テープ７は、重なり部分Ｇに塗布された接着剤が乾いた時点で剥がされる。
【００２６】
次に、図５は図２のＡ−Ａ線に沿った断面図であり、アンカーボルト挿入穴６が、防草・防塵シート４，５の上から、肩石ブロック２ａ，２ｂ，２ｃの中央に開けられる（穴開け工程）。ここで、肩石ブロック２ａ，２ｂ，２ｃへの削穴深さは、防草・防塵シート４，５の上面から５ｃｍとする。なお、アンカーボルト挿入穴６に残った削りカスは、掃除機等で吸い出すのが望ましい。
【００２７】
次に、防草・防塵シート４，５の上から、アンカーボルト８が肩石ブロック２ａ，２ｂ，２ｃに挿入され、防草・防塵シート４，５とアンカーボルト８とが、固定されることについて説明する。
【００２８】
図６（ａ）は、防草・防塵シート４，５の上から、アンカーボルト８が肩石ブロック２ａ，２ｂ，２ｃ挿入されていることが示された断面図である。図７は、アンカーボルト８が挿入された部分を拡大した側面図である。アンカーボルト８は、アンカーピン８ａ、ナット８ｂ、ワッシャ８ｃとアンカーボルト本体（図示せず）で構成されている。アンカーボルト本体は上端部から下方にかけて空洞になっているとともに、アンカーボルト本体の上部には外周方向にねじ山が切られて、ワッシャ８ｃとナット８ｂが挿入されている。アンカーボルト本体を下から上方向に見た場合に、下端部を中心として、十字の切れ目がアンカーボルト本体の中央近傍まで続いており、アンカーピン８ａをアンカーボルト本体の上部空洞部分から打ち込むと、下端部にある十字の切れ目の部分が外周方向に広がるようになっている。また、アンカーボルト本体の下端部には、アンカーボルト８が挿入されたとき、アンカーボルト８がアンカーボルト挿入穴６から抜けないように、抜け止め加工がされている。
【００２９】
アンカーボルト８が、アンカーボルト挿入穴６に挿入され、アンカーボルト８のアンカーピン８ａが、ハンマー等でアンカーボルト本体に打ち込まれる。アンカーピン８ａが打ち込まれると、アンカーボルト本体の先端部の十字が、アンカーボルト本体の円周方向に広がり、防草・防塵シート４，５とアンカーボルト８が、肩石ブロック２ａ，２ｂ，２ｃにしっかりと固定される（固定工程）。さらに、アンカーボルト８のナット８ｂの部分を回転して、防草・防塵シート４，５と肩石ブロック２ａ，２ｂ，２ｃとの隙間をなくし、しっかりと防草・防塵シート４，５が、肩石ブロック２に固定された状態が、図６（ｂ）に示されている。
【００３０】
また、防草・防塵シート４，５の縁部をアンカーボルト８で固定する場合は、アンカーボルト挿入穴８と同じ径が開けられた細長い長方形の縁部押さえ金具９を防草・防塵シート４，５の上に設置する。そして、アンカーボルト８が縁部押さえ金具９の上から挿入され、アンカーボルト８のアンカーピン８ａが打ち込まれ、縁部押さえ金具９と防草・防塵シート４，５と肩石ブロック２ａ，２ｂ，２ｃとが固定される（縁部固定工程）。また、さらに、アンカーボルト８のナット８ｂの部分を回転して、縁部押さえ金具９、防草・防塵シート４，５と肩石ブロック２ａ，２ｂ，２ｃとの隙間をなくし、しっかりと防草・防塵シート４，５が、肩石ブロック２に固定される。
【００３１】
なお、防草・防塵シート４，５の施工者は、防草・防塵シート４，５の重なり部分に、雨が溜まらないように、設置時に継ぎ目の方向について配慮する必要がある。もし、防草・防塵シート４，５の継ぎ目に雨が溜まると、雨と一緒に土砂等が継ぎ目に流れ込み、その部分に雑草が生えたりする場合があるから、継ぎ目に雨が溜まらないように、防草・防塵シート４，５の設置方向を決めなければならない。
【００３２】
以上のようにして、図８に所望の敷地１に設置された防草・防塵シート４，５が示されている。
【００３３】
図９は、防草・防塵シート４，５が、所望の敷地１に設置されるための手順を示したフローチャート図である。このフローチャート図に従って、防草・防塵シート４，５を敷地１に設置する手順を説明する。
【００３４】
まず、防草・防塵シート４，５の施工者は、設置する敷地の雑草、切り株や転石等を取り除く。地面に凹凸がある場合は、埋め立て等して整地を行う（ステップ１）。次に、肩石ブロック２ａ，２ｂ，２ｃが、所定の間隔で敷地に配置され、埋設される（ステップ２）。肩石ブロック２の埋設が終了すれば、防草・防塵シート４，５と肩石ブロック２ａ，２ｂ，２ｃとを固定するために、接着剤が、肩石ブロック２ａ，２ｂ，２ｃの上面に塗布される（ステップ３）。
【００３５】
その後、防草・防塵シート４が、埋設した肩石ブロック２ａ，２ｂ，２ｃの上に敷かれ、防草・防塵シート５が、防草・防塵シート４との重なり部分Ｇが１５ｃｍ以上になるように敷かれる（ステップ４）。次に、養生テープ７が、重なり部分Ｇから１ｃｍ程度はなれた防草・防塵シート４に、重なり部分に沿って貼り付けられる（ステップ５）。また、養生テープ７を貼り終えた後、接着剤が、重なり部分Ｇに塗布される（ステップ６）。
【００３６】
次に、アンカーボルト８を挿入するためのアンカーボルト挿入穴６が、防草・防塵シート４，５の上から、肩石ブロック２ａ，２ｂ，２ｃの中央に開けられる（ステップ７）。その後、縁部押さえ金具９が、防草・防塵シート４，５の縁部に設置される（ステップ８）。さらに、アンカーボルト８が、アンカーボルト挿入穴６に挿入され、アンカーピン８ａがハンマー等で打ち込まれて、防草・防塵シート４，５と肩石ブロック２ａ，２ｂ，２ｃとが固定される（ステップ９）。このような手順で、防草・防塵シート４，５が所望の敷地１に設置される。
【００３７】
従来は、防草・防塵シート４，５を敷地１に設置するためには、４５ｃｍ程度の長い鉄杭を地中に打ち込んで防草・防塵シート４，５を固定していたが、第１の実施形態では、肩石ブロック２ａ，２ｂ，２ｃを地面に埋設し、肩石ブロック２ａ，２ｂ，２ｃと防草・防塵シート４，５とを固定するようにした。
【００３８】
すなわち、肩石ブロック２ａ，２ｂ，２ｃが地面に埋設されることと、肩石ブロック２ａ，２ｂ，２ｃの重みによって、地中深く挿入しなければならなかった長い鉄杭が、不要となる。
【００３９】
以上のように、第１の実施形態に係る鉄杭を使用しない防草・防塵シートの設置方法によって、変電所や通信鉄塔等の敷地１の地中に電線等が埋設されていて、その電線等が地面の下に、何メートルの深さで、どのような範囲に埋設されているかが、分からなくても、埋設されている電線等を傷つけることなく、防草・防塵シート４，５を変電所や通信鉄塔等の敷地に設置することができる。
【００４０】
なお、肩石ブロック２ａ，２ｂ，２ｃの大きさや配置、防草・防塵シート４，５の幅や重なり部分などの寸法、接着剤や養生テープの必要性等は設置する敷地１に合わせて適宜変更可能であり、本発明はこれらに限定されるものではない。また、防草・防塵シートについては、複数幅の防草・防塵シートを用意して使用してもよく、もっと幅の広い防草・防塵シートを用意して、設置する敷地１にあわせて裁断して使用してもよい。また、アンカーボルト８の形状やアンカーボルト８の部品構成は、実施形態に限定されるものではなく、アンカーボルト８は、防草・防塵シート４，５を肩石ブロック２ａ，２ｂ，２ｃに固定できればよい。
【００４１】
(第２の実施形態）
本発明の第２の実施形態に係る鉄杭を使用しない防草・防塵シートの設置方法について、図１０乃至図１４を参照して説明する。本発明の第２の実施形態では、防草・防塵シートを設置する敷地内に、鉄塔の基礎などの構造物がある場合の防草・防塵シートの設置方法について説明する。
【００４２】
図１０（ａ）は、防草・防塵シート４，５を設置しようとする敷地１に存在する鉄塔の足の一部１０とその基礎部分１１（構造物）および敷地地盤３を上から見た図であり、図１０（ｂ）は図１０（ａ）のＢ−Ｂ線に沿った断面図である。このような場合には、第１の実施形態で説明した防草・防塵シートの設置方法では、基礎部分１１が防草・防塵シート４，５の設置の邪魔になり、基礎部分１１のところが隙間なく設置できない。そこで、第３の実施形態に係る防草・防塵シートの設置方法では、基礎部分１１の周り２０ｃｍの範囲に深さ５ｃｍ程度の穴を掘り、そこに土間コンクリート（コンクリート）１２を流し込む。ここでは、土間コンクリート１２が肩石ブロックと同様の機能を有し、さらに基礎部分１１を補強する役割も成す。
【００４３】
図１１（ａ）は、基礎部分１１の周りに土間コンクリート１２を流し込んだものを上から見た図であり、図１１（ｂ）はＣ−Ｃ線に沿った断面図である。流し込んだ土間コンクリート１２が固まれば、土間コンクリート１２の表面に接着剤が塗布される。図１２は、基礎部分１１の周りに設置する防草・防塵シート１３と防草・防塵シート１４の接着方法を示したもので、１５の部分は、防草・防塵シート１３と防草・防塵シート１４との重なり部分である。この重なり部分１５に接着剤を塗布して、防草・防塵シート１３と防草・防塵シート１４と接着するとともに、防草・防塵シート１３と防草・防塵シート１４を土間コンクリート１２とに接着する。
【００４４】
その後に、第１の実施形態で説明したように、アンカーボルト８を挿入するためのアンカーボルト挿入穴６が、防草・防塵シート１３，１４の上から土間コンクリート１２に、５ｃｍ程度の深さまで開けられる。そして、アンカーボルト８が挿入されて、防草・防塵シート１３，１４と土間コンクリート１２とが固定される（コンクリート固定工程）。このようにして防草・防塵シート１３，１４と土間コンクリート１２とが固定する。このように固定された防草・防塵シート１３，１４と土間コンクリート１２とを上から見たのが図１３（ａ）であり、図１３（ａ）のＤ−Ｄ線に沿った部分の断面図が図１３（ｂ）である。なお、鉄塔の基礎部分以外の防草・防塵シートの設置工程は、第１の実施形態の工程と同じである。
【００４５】
図１４は、鉄塔の足１０が４本ある敷地１に、防草・防塵シート４，５，１３，１４を設置した一例が示されている。ここでは、防草・防塵シート４を５列、防草・防塵シート５を１列配置し、防草・防塵シート４，５の縁部と、鉄塔の足１０の基礎部分１１が４箇所あるその周りに設置された防草・防塵シート１３，１４の縁部に、縁部押さえ金具９が設置されている。この方法により、防草・防塵シート４，５を設置する敷地１に、鉄塔の足１０の基礎部分１１などがあっても、防草・防塵シート４，５、１３，１４を確実に設置することができる。
【００４６】
以上のように、防草・防塵シート４，５、１３，１４の設置方法について説明したが、防草・防塵シート４，５、１３，１４や肩石ブロック２ａ，２ｂ，２ｃの大きさ、肩石ブロック２ａ，２ｂ，２ｃの配置方法等は、これらに限定されず、防草・防塵シート４，５、１３，１４を設置する敷地にあわせて、本発明は適宜変更可能である。
【００４７】
(第３の実施形態）
本発明の第３の実施形態に係る鉄杭を使用しない防草・防塵シートの設置方法について、図１５及び第１の実施形態の図を準用して説明する。本発明の第３の実施形態では、防草・防塵シート４，５を設置する敷地内の端部に、既存の土間コンクリート（既存のコンクリート）１６が設置されている場合の防草・防塵シートの設置方法について説明する。
【００４８】
図１５は、防草・防塵シート４，５を設置する敷地内の端部に、既存の土間コンクリート１６が設置されている場合の肩石ブロック２ｂ，２ｃの配置を示している。第１の実施形態で説明した図１に示す肩石ブロック２ａの配置位置に、図１５では既存の土間コンクリート１６が設置されている。第１の実施形態では、敷地内の端部に肩石ブロック２ａが配置され、防草・防塵シート４，５が固定された。第３の実施形態では、肩石ブロック２ａは配置せず、第２の実施形態で説明したように、アンカーボルト挿入穴８が土間コンクリート１６に直接開けられ、防草・防塵シート４，５が土間コンクリート１６に固定される（既存コンクリート縁部固定工程）。
【００４９】
このとき、既存の土間コンクリート１６に開けるアンカーボルト挿入穴８の間隔は、図１で示されている肩石ブロック２ａの配置間隔と同じである。また、この既存の土間コンクリート１６の位置は、防草・防塵シート４，５の縁部を固定する位置に該当するため、縁部押さえ金具９が防草・防塵シート４，５の上に置かれ、縁部押さえ金具９と防草・防塵シート４，５と既存の土間コンクリート１６とがアンカーボルト６によって固定される。それ以降の防草・防塵シート４，５の設置工程は、第１の実施形態及び第２の実施形態と同じであるため、説明を省略する。なお、既存の土間コンクリート１６に開けるアンカーボルト挿入穴８の間隔は、第１の実施形態で説明した肩石ブロック２ａと同じ間隔であると説明したが、敷地１の広さや敷地１の環境等に合わせて適宜変更してもよい。
【００５０】
また、敷地１の端部は、上述の既存の土間コンクリート１６が設置されている場合のほか、フェンスによって敷地１の端部が囲まれている場合がある。このフェンスは、その足部を固定するため、等間隔にブロックが配置され、その足部がブロックに固定されている。また、そのブロック同士の間の地面に電線等が埋設されていない場合には、防草・防塵シート４，５の縁部の固定は、ブロック同士の間の地面に、防草・防塵シート４，５の縁部の上から、従来方法の鉄杭を打ち込んで固定してもよい。
【００５１】
(第４の実施形態）
本発明の第４の実施形態に係る鉄杭を使用しない防草・防塵シートの設置方法について、第１の実施形態の図を準用して説明する。本発明の第４の実施形態では、すでに、防草・防塵シートが敷地に設置され、鉄杭の代わりに、たくさんの砕石が防草・防塵シートの上に置かれている場合であって、砕石部分から雑草等が繁茂しているときの新たな防草・防塵シートの設置方法について説明する。
【００５２】
この設置方法は、防草・防塵シートの上にある砕石を取り除き、設置されている防草・防塵シートを取りかえて、新たに防草・防塵シートを設置することは行わない。砕石を取り除くには、時間も、費用も必要となり、効率が悪いからである。
【００５３】
そこで、本発明において、たくさんの砕石が防草・防塵シートの上に置かれている場合は、砕石の上から新たな防草・防塵シート４，５を設置する。まず、防草・防塵シート４，５の施工者は、雑草と砕石の中にある大きな石だけを取り除く。さらに、凸凹になっている砕石の地面を整地をして、地面をできるだけ平らにする。その後、肩石ブロック２ａ，２ｂ，２ｃを砕石の敷地地盤の上に配置し、肩石ブロック２ａ，２ｂ，２ｃの上面が砕石の地面の高さと一致するように肩石ブロック２ａ，２ｂ，２ｃを埋設する。第１の実施形態では図１に示されるように、肩石ブロック２ａ，２ｂ，２ｃを土の敷地地盤３の上に配置して埋設したが、第４の実施形態では、肩石ブロック２ａ，２ｂ，２ｃを砕石の敷地地盤の上に配置して埋設する。
【００５４】
すなわち、第１の実施形態と第４の実施形態との違いは、肩石ブロック２ａ，２ｂ，２ｃを土の敷地地盤３に埋設するか、砕石の敷地地盤に埋設するかの違いであり、肩石ブロック２ａ，２ｂ，２ｃの配置方法や埋設以降の防草・防塵シート４，５の設置工程は、第１の実施形態と同様である。従って、肩石ブロック２ａ，２ｂ，２ｃの砕石の敷地地盤の埋設以降の防草・防塵シート４，５の設置工程の説明は省略する。
【００５５】
以上のように、すでに、防草・防塵シートが敷地に設置され、たくさんの砕石が防草・防塵シートの上に置かれており、砕石部分から雑草等が繁茂している敷地であっても、この方法により、防草・防塵シート４，５が、安価で容易かつ確実に所望の敷地に設置することができる。
【符号の説明】
【００５６】
１  敷地
２ａ，２ｂ，２ｃ  肩石ブロック（ブロック）
３  敷地地盤
４，５，１３，１４  防草・防塵シート（防草又は防塵若しくは防草と防塵とを兼用するシート）
６  アンカーボルト挿入穴
８  アンカーボルト（ボルト）
９  縁部押さえ金具
１１  鉄塔の足の基礎部分（構造物）
１２  土間コンクリート（コンクリート）
１６  既存の土間コンクリート（既存のコンクリート）
【図１】
2014042464.tif 000003
【図２】
2014042464.tif 000004
【図３】
2014042464.tif 000005
【図４】
2014042464.tif 000006
【図５】
2014042464.tif 000007
【図６】
2014042464.tif 000008
【図７】
2014042464.tif 000009
【図８】
2014042464.tif 000010
【図９】
2014042464.tif 000011
【図１０】
2014042464.tif 000012
【図１１】
2014042464.tif 000013
【図１２】
2014042464.tif 000014
【図１３】
2014042464.tif 000015
【図１４】
2014042464.tif 000016
【図１５】
2014042464.tif 000017